(57)【要約】【課題】  単一の放送エリア内または隣接する放送エリア間で、放送に使用されていない空チャネルの周波数帯の一部の周波数帯を利用した無線通信を効率的に実行する無線通信装置を提供する。【解決手段】  放送に使用していない空チャネルの周波数帯を利用して無線通信する装置であって、携帯電話網等の狭帯域無線通信により放送の周波数帯を利用した無線通信を実行するための所定の情報を相手無線通信装置と授受し、相手無線通信装置が現在存在している位置に対応する放送エリアが、自無線通信装置が現在存在している位置における前記放送の放送エリアと同一または隣接エリアだった場合に、両エリアに共通な空チャネル内の空周波数帯を利用して相手無線通信装置と無線通信する。【選択図】図２
2015198402.tif 000002
【特許請求の範囲】
【請求項１】
映像または音声またはデータの放送に係る放送波に対応する複数の周波数チャネルの内、所定の放送エリアにおける前記放送に使用していない周波数チャネルである空チャネルの周波数帯を利用して、無線通信を実行する無線通信装置であって、
前記放送より狭帯域な所定の狭帯域無線通信により、前記空チャネルの周波数帯を利用した無線通信を実行するための所定の情報を、相手無線通信装置と授受する狭帯域無線通信手段と、
自無線通信装置が現在存在している位置に係る情報を取得し、前記狭帯域無線通信手段により前記取得した位置に係る情報を前記相手無線通信装置へ送信する、または前記相手無線通信装置が現在存在している位置に係る情報を前記相手無線通信装置から受信する位置情報送受信手段と、
前記相手無線通信装置が現在存在している位置に対応する前記放送の放送エリアは、自無線通信装置が現在存在している位置における前記放送の放送エリアと同一か否か、または隣接する放送エリアか否かを判定する相手放送エリア判定手段と、
自無線通信装置または前記相手無線通信装置が現在存在している放送エリアにおける前記空チャネルを検知する空チャネル検知手段と、
前記狭帯域無線通信手段により、前記検知した空チャネルに係る情報を前記相手無線通信装置へ送信する、または前記相手無線通信装置が検知した空チャネルに係る情報を前記相手無線通信装置から受信する空チャネル情報送受信手段と、
前記空チャネルの周波数帯を周波数スキャンし、前記空チャネル内の所定の帯域幅以上の未使用な周波数帯域である空周波数帯を検知する空チャネル内空周波数帯検知手段と、
前記狭帯域無線通信手段により、前記検知した空チャネル内の空周波数帯に係る情報を前記相手無線通信装置へ送信する、または前記相手無線通信装置が検知した空チャネル内の空周波数帯に係る情報を前記相手無線通信装置から受信する空チャネル内空周波数帯情報送受信手段と、
前記送信または受信した空チャネルに係る情報および前記空チャネル内の空周波数帯に係る情報に基づいて、前記相手無線通信装置と共通な空周波数帯の一部の帯域を利用して前記相手無線通信装置と無線通信する共通空周波数帯無線通信手段と、を有することを特徴とする放送エリア毎の空周波数帯を利用する無線通信装置。
【発明の詳細な説明】
【技術分野】
【０００１】
本発明は、地上波デジタル放送等の映像または音声またはデータの放送に係る、地域的に周波数チャネルの構成が異なる放送システムにおける、放送に使用していない空チャネルの周波数帯の一部の周波数帯を利用する無線通信装置に関する。
【背景技術】
【０００２】
通信回線が寸断された被災地等において、被災地の状況を撮影するカメラを地上無線機に接続し、ＶＳＡＴ局を構成する地上無線機とこの地上無線機を接続し、臨時の無線回線として、ＵＨＦテレビジョン放送用に準備されている複数のチャネルの中から、被災地局及びＶＳＡＴ局の現在地並びにその周辺地域において放送に使用されていない周波数チャネルを選択して使用する、テレビジョン放送の周波数チャネルを有効利用する無線通信システムに関する技術がある（例えば、特許文献１）。
【０００３】
しかしながら、特許文献１に記載されている技術は、テレビジョン放送を中継する臨時回線として当該地域におけるテレビジョン放送の空チャネルを有効利用するものの、一つの空チャネルに対して一つの臨時回線を構築するものなので、同一エリア内の多数の１対１通信に適用することまでは考慮されていない。
【先行技術文献】
【特許文献】
【０００４】
【特許文献１】特開２０００−１９６９６７号公報
【発明の概要】
【発明が解決しようとする課題】
【０００５】
そこで、本発明の課題は、単一の放送エリア内または隣接する放送エリア間で、放送に使用されていない空チャネルの周波数帯の一部の周波数帯を利用した無線通信を効率的に実行する無線通信装置を提供することにある。
【課題を解決するための手段】
【０００６】
上記課題を解決するために、本発明は、映像または音声またはデータの放送に係る放送波に対応する複数の周波数チャネルの内、所定の放送エリアにおける前記放送に使用していない周波数チャネルである空チャネルの周波数帯を利用して、無線通信を実行する無線通信装置であって、前記放送より狭帯域な所定の狭帯域無線通信により、前記空チャネルの周波数帯を利用した無線通信を実行するための所定の情報を、相手無線通信装置と授受する狭帯域無線通信手段と、自無線通信装置が現在存在している位置に係る情報を取得し、前記狭帯域無線通信手段により前記取得した位置に係る情報を前記相手無線通信装置へ送信する、または前記相手無線通信装置が現在存在している位置に係る情報を前記相手無線通信装置から受信する位置情報送受信手段と、前記相手無線通信装置が現在存在している位置に対応する前記放送の放送エリアは、自無線通信装置が現在存在している位置における前記放送の放送エリアと同一か否か、または隣接する放送エリアか否かを判定する相手放送エリア判定手段と、自無線通信装置または前記相手無線通信装置が現在存在している放送エリアにおける前記空チャネルを検知する空チャネル検知手段と、前記狭帯域無線通信手段により、前記検知した空チャネルに係る情報を前記相手無線通信装置へ送信する、または前記相手無線通信装置が検知した空チャネルに係る情報を前記相手無線通信装置から受信する空チャネル情報送受信手段と、前記空チャネルの周波数帯を周波数スキャンし、前記空チャネル内の所定の帯域幅以上の未使用な周波数帯域である空周波数帯を検知する空チャネル内空周波数帯検知手段と、前記狭帯域無線通信手段により、前記検知した空チャネル内の空周波数帯に係る情報を前記相手無線通信装置へ送信する、または前記相手無線通信装置が検知した空チャネル内の空周波数帯に係る情報を前記相手無線通信装置から受信する空チャネル内空周波数帯情報送受信手段と、前記送信または受信した空チャネルに係る情報および前記空チャネル内の空周波数帯に係る情報に基づいて、前記相手無線通信装置と共通な空周波数帯の一部の帯域を利用して前記相手無線通信装置と無線通信する共通空周波数帯無線通信手段と、を有することを特徴とする。
【発明の効果】
【０００７】
本発明によれば、単一の放送エリア内または隣接する放送エリア間で、空チャネルの周波数帯の一部の空いている周波数帯を利用するので、他の装置が同じ空チャネルの周波数帯の一部の周波数帯を利用していた場合であっても同時に通信可能である。
これにより、多数の本発明装置を用いた多数の1対1通信が可能なので、例えば、被災地における各被災者同士のローカルな個別通信用の臨時無線通信システム用として好適である。
【図面の簡単な説明】
【０００８】
【図１】本発明の実施形態に係る無線通信装置の全体構成図である。
【図２】本発明の実施形態に係る無線通信装置の基本シーケンスの例である。
【図３】本発明の実施形態に係る無線通信装置のブロック構成図である。
【図４】本発明の実施形態に係る無線通信装置の動作フローチャートである。
【発明を実施するための形態】
【０００９】
以下、本発明の実施の形態について、地上波デジタル（以下、地デジと略す）放送の空チャネルを利用する場合を例に、図を用いて詳細に説明する。
【００１０】
図１は、本発明の実施形態に係る無線通信装置（以下、装置と略すこともある）を複数含む全体構成図であって、無線通信装置１、放送局２、放送波エリア３、携帯電話網４から構成される。
【００１１】
無線通信装置１は、自装置および相手装置が現在存在している地デジ放送波の放送波エリア３において、放送に使用していない周波数チャネル（以下，ＣＨと略すこともある）である空チャネルを使用し、無線通信を実施する。放送局２は放送波エリア３を形成する公共の地デジ波放送局であり、地域ごとに設置され、隣接の放送エリア３と電波干渉しないように、地域毎に周波数チャネルの構成が異なる。携帯電話網４は、無線通信装置１同士が空チャネルを利用した相互通信を開始する際に、空チャネルや空周波数帯に係る情報を通知し合うための狭帯域無線通信手段の具体例である。無線通信装置１の内部構成および動作フローについては後述する。
【００１２】
本実施形態において、相互通信する２台の無線通信装置１は、同一の放送波エリア３内、或いは隣接する放送エリア３内に存在する（例えば、放送波エリア３−１と放送波エリア３−２）。
【００１３】
図２は、本発明の実施形態に係わる無線通信装置１−１と無線通信装置１−２が地デジ放送の空チャネルを利用した相互通信（以下、地デジ帯通信と称することもある）を開始するシーケンス例である。
【００１４】
地デジ通信開始操作（Ｓ２００）が為された無線通信装置１−１は、相手毎通信パラメータ格納部１６（後述）を参照し、無線通信装置１−２の携帯電話番号に発信し、応答した無線通信装置１−２へ、携帯電話網４を介して、携帯電話網経由通信部１１により、地デジ帯通信要求を送信する（Ｓ２０１）。
【００１５】
無線通信装置１−２は、無線通信装置１−１から地デジ通信要求を受信すると、ＧＰＳ機能により自無線通信装置１−２の現在位置に係る情報を取得し、無線通信装置１−１へ携帯電話網４を介して、携帯電話網経由通信部１１により、現在位置情報通知を送信する（Ｓ２０２）。
【００１６】
現在位置情報通知を受信した無線通信装置1−１は、無線通信装置１−２の現在位置情報を取得すると、位置対応放送エリア／使用ＣＨ情報格納部１４（後述）を参照して、自装置１−１が現在存在している位置（ＧＰＳ機能により取得してある）と相手装置１−２が現在存在している位置に対応する、放送波エリア３−１と放送波エリア３−２を特定し、これらの放送波エリアが同一であるか否か、或いは隣接するエリアであるか否かを判定する。
【００１７】
図１の例では、放送波エリア３−１と，放送波エリア３−２は隣接エリアであるので、両エリアに共通の空ＣＨがあれば相互通信が可能となる。なお、両装置１が隣接エリア以上に離れていた場合は、３以上の放送波エリア３で共通する空ＣＨが存在している可能性は低いので、空ＣＨによる相互通信は不可と判定する。
【００１８】
無線通信装置１−２が同一或いは隣接エリアに存在していると判定した無線通信装置１−１は、位置対応放送エリア／使用ＣＨ情報格納部１４（後述）を参照して、自装置１−１と相手装置１−２が存在しているエリアである、放送波エリア３−１と放送波エリア３−２の空ＣＨを抽出し、共通の空ＣＨである共通空ＣＨの一つ（任意）を選択する。そして、選択した共通空ＣＨに係る情報を通信ＣＨ情報として、携帯電話網４を介して、携帯電話網経由通信部１１により、無線通信装置１−２へ通知する（Ｓ２０３）。
【００１９】
通信ＣＨ情報を通知した装置１−１および装置１−２は、通信ＣＨとして指定された共通空ＣＨの周波数帯について、周波数スキャンしながら搬送波（キャリア）の有無をチェック（キャリアセンス）し、空きの周波数帯をサーチする。なお、各ＣＨの周波数帯には所定帯域以上の複数のサブＣＨが予め定義してあるものとし、サーチした空きの周波数帯に対応する空サブＣＨを検知する。
【００２０】
無線通信装置１−２は、無線通信装置１−１へ、携帯電話網４を介して、携帯電話網経由通信部１１により、前記キャリアセンス実行結果に基づく空きの周波数帯に係る情報を空サブＣＨ情報として通知する（Ｓ２０４）。
【００２１】
空サブＣＨ情報を通知された無線通信装置１−１は、自装置１−１のキャリアセンス結果と、無線通信装置１−２から受信した空サブＣＨ情報に基づいて、共通の空周波数帯である共通空サブＣＨを選択する。そして、選択した共通空サブＣＨに係る情報を通信サブＣＨ情報として、無線通信装置１−２へ、携帯電話網４を介して、携帯電話網経由通信部１１により、通知する（Ｓ２０５）。
【００２２】
以上の携帯電話網４を介したネゴシエーションにより、無線通信装置１−１と無線通信装置１−２は、共通空ＣＨおよび共通空サブＣＨを通信ＣＨおよび通信サブＣＨとして情報共有した。そして、情報共有した通信ＣＨおよび通信サブＣＨを利用して、無線通信装置１−１と無線通信装置１−２は、地デジ帯によるデータ通信を開始する（Ｓ２０６）。
【００２３】
ところで、サブＣＨは、放送チャネルの周波数帯を複数の帯域に分割したもので、本装置１と相手装置との間で共有する予め定義された情報であり、地デジ放送には係わらない。従って、そのようなサブＣＨの帯域幅を予め定義せず、放送チャネルの帯域幅の任意の空周波数帯を通信サブＣＨとして、その場で定義してもよい。
【００２４】
なお、地上波デジタル放送の各ＣＨの帯域は、高品位テレビジョン（ＨＤＴＶ）映像も伝送出来る広帯域であり、一つの地デジＣＨを数十のサブＣＨに分割しても、各サブＣＨは、携帯電話網４を介した一般的なモバイル通信の帯域よりもかなり広帯域な帯域を確保できる。
【００２５】
なお、位置情報，空ＣＨ，空サブＣＨに係る情報を送受信する狭帯域無線通信網として、携帯電話網４を例に説明したが、狭帯域無線通信網として、携帯電話網４以外の任意の無線通信方式（例えば、アマチュア無線等の１対１の無線通信方式）を適用することが出来る。
【００２６】
図３は本発明の実施形態に係る無線通信装置１のブロック図であり、通信制御部１０、携帯電話網経由通信部１１、地デジ帯無線通信部１２、ＧＰＳ機能部１３、位置対応放送エリア／使用ＣＨ情報格納部１４、チャネル指定部１５、相手毎通信パラメータ格納部１６、キャリアセンス部１７、操作部１８から構成される。
【００２７】
通信制御部１０は、自装置の全般を制御する手段であって、携帯電話網経由通信部１１、地デジ帯無線通信部１２、ＧＰＳ機能部１３、位置対応放送エリア／使用ＣＨ情報格納部１４、チャネル指定部１５、相手毎通信パラメータ格納部１６、キャリアセンス部１７、操作部１８の各部と、データを授受する。
【００２８】
携帯電話網経由通信部１１は、他の無線通信装置との無線通信部であって、受信した無線信号を復調，復号化し、通信制御部１０へ出力する。また、通信制御部１０から入力した信号を符号化，変調し、他の無線通信装置へ出力する。なお、この無線通信で使用する通信パラメータや相手先のアドレス情報等は、相手毎通信パラメータ格納部１６に格納されている。
【００２９】
地デジ帯無線通信部１２は、他の無線通信装置との無線通信部であって、受信した無線信号を復調，復号化し、通信制御部１０へ出力する。また、通信制御部１０から入力した信号を変調，符号化し、他の無線通信装置へ出力する。なお、この無線通信のチャネルは、チャネル指定部１５から指示されたチャネルであり、サブＣＨの指定も含む。
【００３０】
ＧＰＳ機能部１３は、ＧＰＳ衛星電波の受信部であり、自装置の位置に係る情報の取得手段である。なお、本実施形態において、自装置の位置に係る情報の取得手段として、ＧＰＳ衛星電波を利用する方式を例に説明しているが、ＧＰＳ衛星電波を利用する方式以外の各種の位置検出手段が適用可能である（例えば、携帯電話機網の複数の基地局から発信される電波で位置を検出する方式）。
【００３１】
位置対応放送エリア／使用ＣＨ情報格納部１４は、住所や座標等の位置情報と、その位置が含まれる放送エリアの地デジ放送局が使用している地デジ放送のチャネル情報を対応付けて格納しており、通信制御部１０からの位置情報の入力に対し、その位置における地デジ放送のチャネル情報を返す。なお、本実施例では位置対応放送エリア／使用ＣＨ情報格納部１４を内蔵しているが、位置対応放送エリア／使用ＣＨ情報格納部１４を内蔵せずに、例えば、携帯電話網経由通信部１１を介して、所定のサイトへアクセスして、情報を取得するようにしてもよい。
【００３２】
チャネル指定部１５は、通信制御部１０から指定されたＣＨ，サブＣＨ情報に基づき、地デジ帯無線通信部１２が使用する周波数帯を指定されたＣＨ内のサブＣＨにセットする。
【００３３】
相手毎通信パラメータ格納部１６は、他の無線通信装置と携帯電話網４を介した狭帯域通信を実行する際に必要となる、相手毎の通信パラメータ（携帯電話網４におけるＩＤ，アドレス情報等）、および他の無線通信装置１と地デジ帯を介した広帯域無線通信を実行する際に必要となる相手毎の通信パラメータ（地デジ帯通信におけるＩＤ，アドレス情報，通信速度等）を格納する。
【００３４】
キャリアセンス部１７は、地デジ帯無線通信部１２が受信しているＣＨの電波（搬送波）の電界強度を周波数スキャンして、当該ＣＨ内の空サブＣＨ（当該周波数帯の搬送波レベルが閾値以下）を検知し、空サブＣＨ情報を通信制御部１０へ通知する。
【００３５】
操作部１８は、本装置１へ操作者からのコマンドを入力すると共に、操作者へ提示すべき情報を表示する手段である。
【００３６】
図４は本発明の実施形態に係る無線通信装置１の動作フローチャートである。以下、他の図を併用して動作フローを説明する。本フローは電源が投入された状態でスタートし（Ｓ４００）、待機状態において、自装置１における地デジ帯通信の開始操作の有無（Ｓ４１０）、携帯電話網４経由の相手装置からの地デジ帯通信要求受信の有無を循環して監視している。
【００３７】
まず、自装置１側から地デジ帯通信の開始操作をする場合について説明する。通信制御部１０が操作部１８に為された地デジ帯通信開始操作を検知すると（Ｓ４１０，ＹＥＳ）、当該操作内容に応じた所定の相手装置に対して、相手毎通信パラメータ格納部１６を参照して取得する情報に基づき、携帯電話網４を介して、携帯電話網経由通信部１１により、地デジ帯通信要求を送信し（Ｓ４１１）、Ｓ４２０へ進む。
【００３８】
Ｓ４２０において、予め定めてある受信制限時間であるタイムアウト前に、相手装置から現在位置情報を受信したか否かを判定し、前記現在位置情報を受信した場合（Ｓ４２０，ＹＥＳ）、Ｓ４２１へ進み、受信しなかった場合（Ｓ４２０，ＮＯ）、Ｓ４９０へ進む。
【００３９】
Ｓ４２１において、通信制御部１０は、ＧＰＳ機能部１３を起動して自装置１の現在位置を検出し、Ｓ４３０へ進む。
【００４０】
Ｓ４３０において、通信制御部１０は、Ｓ４２１で検出した自装置の現在位置と、Ｓ４２０で受信した相手装置の現在位置とを、位置対応放送エリア／使用ＣＨ情報格納部１４を参照して比較し、相手装置が、自装置１が存在する放送エリアと同一の放送エリア内、或いは隣接する放送エリア内に存在するか否かを判定し、ＹＥＳの場合、Ｓ４４０へ進み、ＮＯの場合、Ｓ４９０へ進む。
【００４１】
Ｓ４４０において、通信制御部１０は、位置対応放送エリア／使用ＣＨ情報格納部１４を参照し、相手装置と通信するための共通な空ＣＨの有無を判定する。少なくとも一つ以上の共通空ＣＨがある場合、ＹＥＳと判定し、Ｓ４４１へ進み、共通空ＣＨがない場合、ＮＯと判定し、Ｓ４９０へ進む。
【００４２】
Ｓ４４１において、通信制御部１０は、Ｓ４４０で特定した共通空ＣＨのうちの一つを通信ＣＨとして選択し、相手装置に対して携帯電話網４を介する携帯電話網経由通信により、選択した共通空ＣＨを通知する通信ＣＨ通知を送信し、Ｓ４４２へ進む。
【００４３】
Ｓ４４２において、通信制御部１０は、チャネル指定部１５を制御して、地デジ帯無線通信部１２に対して、Ｓ４４１で選択した共通空ＣＨを通信ＣＨとしてセットする。そして、キャリアセンス部１７を起動して、その通信ＣＨの帯域を周波数スキャンして、各サブＣＨの周波数帯における搬送波（キャリア）の有無をセンシングして、空サブＣＨを抽出し、Ｓ４５０へ進む。なお、ここで、各サブＣＨの周波数帯における搬送波（キャリア）の有無をセンシングする理由は、共通空ＣＨは地デジ放送が使用していないだけで、他の通信装置が使用していない保障はないので、地デジ帯の空ＣＨを利用する本装置１と同様な通信装置がその共通空ＣＨの帯域で通信中でないかをチェックするためである。
【００４４】
Ｓ４５０において、通信制御部１０は、予め定めてある受信制限時間であるタイムアウト前に、相手装置から空サブＣＨ情報を受信したか否かを判定し、前記空サブＣＨ情報を受信した場合（Ｓ４５０，ＹＥＳ）、Ｓ４６０へ進み、受信しなかった場合（Ｓ４５０，ＮＯ）、Ｓ４９０へ進む。
【００４５】
なお、本フローにおいて、Ｓ４４１で通信ＣＨを相手装置へ通知すると、相手装置は相手装置の現在位置における、その通信ＣＨ内の空サブＣＨをサーチし、その結果を本装置１へ通知してくるプロトコルを前提にしているが（図２のＳ２０３，Ｓ２０４に相当）、本装置１から相手装置へ、適宜、空サブＣＨ通知を要求するようにしてもよい。
【００４６】
Ｓ４６０において、通信制御部１０は、Ｓ４４２で抽出した自装置１の空サブＣＨ情報とＳ４５０で相手装置から受信した空サブＣＨ情報とを比較し、両方に共通な空サブＣＨの有無を判定する。そして、少なくとも一つ以上の共通空サブＣＨがある場合（Ｓ４６０，ＹＥＳ）、Ｓ４６１へ進み、共通空サブＣＨが無い場合（Ｓ４６０，ＮＯ）、Ｓ４９０へ進む。
【００４７】
Ｓ４６１において、通信制御部１０は、Ｓ４６０で抽出した共通空サブＣＨのうちの一つを通信サブＣＨとして選択し、相手装置に対して携帯電話網４を介する携帯電話網経由通信部１１により、通信サブＣＨとして選択した共通空サブＣＨの情報を通知する通信サブＣＨ通知を送信し、Ｓ４６２へ進む。
【００４８】
Ｓ４６２において、通信制御部１０は、チャネル指定部１５を制御して、地デジ帯無線通信部１２の動作周波数帯を、Ｓ４６１で相手装置へ通知した、またはＳ４８３（後述）で受信した通信サブＣＨの周波数帯に設定し、地デジ帯によるデータ通信を開始し、Ｓ４６３へ進む。
【００４９】
Ｓ４６３において、通信制御部１０は、地デジ帯によるデータ通信の終了を監視し、ＹＥＳの場合、Ｓ４１０へ戻る。
【００５０】
なお、Ｓ４２０，Ｓ４３０，Ｓ４４０，Ｓ４５０，Ｓ４６０，Ｓ４８０（後述），Ｓ４８３（後述）の各ステップでＮＯの場合は、地デジ帯通信が不可な状態なので、その旨（地デジ帯通信不可）を操作部１８に表示し（Ｓ４９０）、Ｓ４１０へ戻る。
【００５１】
次に、相手装置側から地デジ帯通信の開始を要求された場合について説明する。待機状態（Ｓ４１０とＳ４７０のイベントを循環監視）において、相手装置から携帯電話網４を介して携帯電話網経由通信部１１が地デジ帯通信要求を受信した場合（Ｓ４７０，ＹＥＳ）、Ｓ４７１へ進み、ＮＯの場合、Ｓ４１０へ戻る。
【００５２】
Ｓ４７１において、通信制御部１０は、ＧＰＳ機能部１３により、受信したＧＰＳ衛星からの電波に基づいて自装置１の現在位置を検出し、Ｓ４７２へ進む。
【００５３】
Ｓ４７２において、Ｓ４７１で検出した自装置１の現在位置情報を、相手装置に対して携帯電話網４を介して携帯電話網経由通信部１１により送信し、Ｓ４８０へ進む。
【００５４】
Ｓ４８０において、通信制御部１０は、予め定めてある受信制限時間であるタイムアウト前に、相手装置から通信ＣＨ通知を受信したか否かを判定し、携帯電話網経由通信部１１により通信ＣＨ通知を受信した場合（Ｓ４８０，ＹＥＳ）、Ｓ４８１へ進み、受信しなかった場合（Ｓ４８０，ＮＯ）、Ｓ４９０へ進む。
【００５５】
Ｓ４８１において、通信制御部１０は、キャリアセンス部１７を制御し、Ｓ４８０で相手装置から通知された通信ＣＨに対応する周波数帯に対して、周波数スキャンによる搬送波（キャリア）の有無をセンシングし、当地における空サブＣＨを抽出し、Ｓ４８２へ進む。
【００５６】
Ｓ４８２において、通信制御部１０は、相手装置に対して、携帯電話網４を介して携帯電話網経由通信部１１により、Ｓ４８１で抽出した空サブＣＨ情報を送信し、Ｓ４８３へ進む。
【００５７】
Ｓ４８３において、通信制御部１０は、予め定めてある受信制限時間であるタイムアウト前に、相手装置から携帯電話網４を介して、携帯電話網経由通信部１１により、通信サブＣＨ通知を受信したか否かを判定し、前記通信サブＣＨ通知を受信した場合（Ｓ４８３，ＹＥＳ）、Ｓ４６２へ進み、受信しなかった場合（Ｓ４８３，ＮＯ）、Ｓ４９０へ進む。なお、Ｓ４６２またはＳ４９０へ進んだ以降の動作については説明済みなので、省略する。
【００５８】
以上、本発明の実施形態について説明した。本発明によれば、単一の放送エリア内または隣接する放送エリア間で、空チャネルの周波数帯の一部の空いている周波数帯を利用するので、他の装置が同じ空チャネルの周波数帯の一部の周波数帯を利用していた場合であっても同時に通信可能である。
【００５９】
これにより、多数の本発明装置を用いた多数の1対1通信が可能なので、例えば、被災地における各被災者同士のローカルな個別通信用の臨時無線通信システム用として好適である。
【００６０】
なお、地上波デジタル放送の各チャネルは、高品位テレビジョン映像（ＨＤＴＶ）を伝送出来る程の広帯域であり、この帯域を数十程度のサブチャネルに分割しても、一般的なモバイル通信の帯域以上の帯域を確保できる。
【００６１】
また、放送波として地上デジタルテレビジョン放送波を例に説明したが、本発明は、これに限定されない。例えば、アナログ信号またはデジタル信号によるラジオ放送やデータ放送に係る放送波であってもよい。
【００６２】
さらに、ＷＡＮ（Ｗｉｄｅ  Ａｒｅａ  Ｎｅｔｗｏｒｋ）との通信機能を具備すれば、例えば、被災地内の者と被災地外の者の通信を中継することも可能となる。
【００６３】
ところで、本実施形態において、現在位置情報，空チャネル，空サブチャネルを通知する狭帯域無線通信手段として、一般的な通信インフラストラクチャである携帯電話網４を例に説明したが、本発明は、これに限定されない。放送電波と干渉せず、通信パラメータ等の少量のデータを送受信できる程度の狭帯域な１対１通信を実行できる無線通信方式の各種が適用可能である。例えば、無線ＬＡＮ（Ｌｏｃａｌ  Ａｒｅａ  Ｎｅｔｗｏｒｋ）におけるピアツーピア通信（アドホック通信ともいう）、特定小電力無線通信、アマチュア無線で利用する帯域を利用した１対１無線通信等の各種の無線通信方式が適用可能である。さらに、全放送エリアで共通な空きの周波数帯があるなら、その一部を狭帯域無線通信手段として利用することも可能である。
【符号の説明】
【００６４】
１・・・本発明に係る無線通信装置
２・・・放送局
３・・・地デジ放送波の放送波エリア
４・・・携帯電話網
１０・・・通信制御部
１１・・・携帯電話網経由通信部
１２・・・地デジ帯無線通信部
１３・・・ＧＰＳ機能部
１４・・・位置対応放送エリア／使用ＣＨ情報格納部
１５・・・チャネル指定部
１６・・・相手毎通信パラメータ格納部
１７・・・キャリアセンス部
１８・・・操作部
【図１】
2015198402.tif 000003
【図２】
2015198402.tif 000004
【図３】
2015198402.tif 000005
【図４】
2015198402.tif 000006